(57)【要約】【課題】木造住宅であっても、外壁面から窓サッシをセットバックさせて外壁の見せ掛けの厚みを強調することができる窓構造を提供する。【解決手段】木造住宅の躯体１と略面一に開口枠Ａが形成され、躯体１の外側および開口枠Ａの開口内周面部に下地板２が設けられ、下地板２の上から、開口枠Ａの開口内周面部から開口外周面部にかけた立体形状に賦形された水切り材３が設けられ、開口枠Ａの開口内周面部の最奥部の位置に窓サッシ４が設けられ、水切り材３の開口内周面部と窓サッシ４との間、水切り材３の開口外周面部と下地板２との間に防水テープ５が設けられ、下地板２の表面に防水紙６が設けられ、開口内周面部の上下に見切り材７が設けられ、防水紙６の上から下地板２にサイディング材８が設けられ、開口内周面部の両側に、下地板２の外側から開口内周面部に巻き込んでサイディング材８が設けられてなる。【選択図】  図６
2004183387.tif 000002
【特許請求の範囲】
【請求項１】
木造住宅において、外壁面からセットバックさせた位置に窓が設けられてなる窓構造であって、
躯体と略面一に、窓サッシ取付用の開口枠が形成されるとともに、躯体の外側およびこの開口枠の開口内周面部には、下地板が設けられ、さらにこの下地板の上から、開口枠の開口内周面部から開口外周面部にかけた形状に合わせて立体的に賦形された水切り材が設けられるとともに、開口枠の開口内周面部の最奥部に相当する位置に窓サッシが設けられ、水切り材の開口内周面部と窓サッシとの間、水切り材の開口外周面部と下地板との間にそれぞれまたがるように防水テープが設けられ、下地板の表面に防水紙が設けられるとともに、開口内周面部の上下に見切り材が設けられ、防水紙の上から下地板にサイディング材が設けられるとともに、開口内周面部の両側に、下地板の外側から開口内周面部に巻き込むようにサイディング材が設けられてなることを特徴とする窓構造。
【発明の詳細な説明】
【０００１】
【発明の属する技術分野】
本発明は、木造住宅において、外壁面からセットバックさせた位置に窓サッシが取り付けられてなる窓構造に関するものである。
【０００２】
【従来の技術】
一般に、住宅の外壁に、５０ｍｍ以上の厚みを有するコンクリート製の外壁パネルを使用しているような場合、この外壁パネルの厚み分だけ外壁面からセットバックさせた位置に窓サッシを取り付けることで、外壁パネルの厚みを強調して、住宅の外観に重厚さや深みを持たせて高級感を演出することが行われている。
【０００３】
また、厚みの無いセラミック外壁パネルのような薄型の外壁パネルであっても、上記コンクリート製の外壁パネルのように外壁面よりセットバックさせた位置に窓サッシを取り付けたように見せかけることが行われている。
【０００４】
従来より、このような薄型の外壁パネルを用いて外壁面よりセットバックさせた位置に窓サッシを取り付けたように見せかける場合、躯体と略面一に固定した窓サッシの外側を囲繞するように、躯体の外側に、下地パネルを設け、この下地パネルの開口端縁部を被覆するように、窓サッシと下地パネルとの間にそれぞれシール材を介して枠材を設け、下地パネルの表面に、枠材を巻き込むようにしてタイルを貼設するようになされたものが知られている（例えば、特許文献１参照）。
【０００５】
【特許文献１】
特開２００１−３４２７７５号公報
【０００６】
【発明が解決しようとする課題】
しかし、木製の躯体の外側に下地板を固定し、その表面にサイディング材を貼設して仕上げられるような木造住宅の場合は、上記従来の薄型の下地パネルによる窓構造のように窓サッシと枠材と下地パネルとのそれぞれの間をシール材で密閉するような防水構造では無く、下地板とサイディング材との間に防水紙を介在させた防水構造を取っているため、このようなセットバックさせた窓サッシを設けた場合、上記従来の薄型の下地パネルによる窓構造と同じようには構成することはできず、セットバックした部分の防水処理が必要となる。
【０００７】
そのため、下地板の表面に貼設される防水紙を、セットバックした部分に折り込んで納めるといったことが考えられるが、この場合、現場作業となるため、品質の安定性を確保することが出来なくなる。
【０００８】
本発明は、係る実情に鑑みてなされたものであって、木造住宅であっても、外壁面から窓サッシをセットバックさせて外壁の見せ掛けの厚みを強調することができる窓構造を提供することを目的としている。
【０００９】
【課題を解決するための手段】
上記課題を解決するための本発明の窓構造は、木造住宅において、外壁面からセットバックさせた位置に窓が設けられてなる窓構造であって、躯体と略面一に、窓サッシ取付用の開口枠が形成されるとともに、躯体の外側およびこの開口枠の開口内周面部には、下地板が設けられ、さらにこの下地板の上から、開口枠の開口内周面部から開口外周面部にかけた形状に合わせて立体的に賦形された水切り材が設けられるとともに、開口枠の開口内周面部の最奥部に相当する位置に窓サッシが設けられ、水切り材の開口内周面部と窓サッシとの間、水切り材の開口外周面部と下地板との間にそれぞれまたがるように防水テープが設けられ、下地板の表面に防水紙が設けられるとともに、開口内周面部の上下に見切り材が設けられ、防水紙の上から下地板にサイディング材が設けられるとともに、開口内周面部の両側に、下地板の外側から開口内周面部に巻き込むようにサイディング材が設けられてなるものである。
【００１０】
【発明の実施の形態】
以下、本発明の実施の形態を図面を参照して説明する。
【００１１】
図１ないし図５は窓構造の施工手順の概略を示し、図６および図７は同窓構造の断面図を示している。
【００１２】
すなわち、この窓構造は、躯体１に形成された開口部Ａに、下地板２、水切り材３、窓サッシ４、防水テープ５、防水紙６、見切り材７、サイディング材８を設けて構成されている。
【００１３】
図１に示すように、躯体１は、あらかじめ窓サッシ４を設ける位置に、断面約１２０ｍｍ角の柱１１が、窓サッシ４の間隔に合わせて設けられている。開口部Ａは、この柱１１、１１間の窓サッシ４の取付位置の上下相当する所望の位置に、断面約１２０ｍｍ×約６０ｍｍの横桟材１２、１２を設けて構成される。この開口部Ａは、内周面部の屋内側の面に沿って、窓サッシ４を取り付けるために断面約５０ｍｍ角の枠材１３が設けられる。
【００１４】
下地板２は、厚さ約１０ｍｍの合板からなり、柱１１、横桟材１２、土台１４、胴差し１５、その他、躯体１の外側部分に貼設される。開口部Ａの上下は、下地板２が開口部Ａ内に入らないように、横桟材１２のギリギリの位置まで下地板２が設けられる。また、開口部Ａの両側は、開口部Ａの開口外周面部から開口内周面部にわたって、開口内周面部に設けられた枠材１３の手前の位置まで入り込むように断面略Ｌ字状に下地板２が設けられる。
【００１５】
水切り材３は、図２に示すように、開口部Ａの開口外周面部から開口内周面部に沿うように鋼板を立体的に賦形して形成されており、開口部Ａの上辺用、下辺用、両側辺用にそれぞれ四分割して構成されている。開口部Ａの下辺に使用される水切り材３ａは、開口部Ａの下辺とその両側に少し立ち上がった重ねシロ部分とを有する平面視略溝型に形成され、開口部Ａの開口外周面部から開口内周面部の枠材１３の手前の位置までに沿う断面略Ｌ字状となされている。開口部Ａの上辺に使用される水切り材３ｂは、上記下辺に使用される水切り材３ａを上下逆にして使用される。開口部Ａの両側辺に使用される水切り材３ｃは、開口部Ａの両側辺に相当する長尺に形成され、開口部Ａの開口外周面部から開口内周面部の枠材１３の手前の位置までに沿う断面略Ｌ字状となされている。これら水切り材３は、下地板２の表面にビス固定される。固定する際は、下辺に使用される水切り材３ａ、両側に使用される水切り材３ｃ、上辺に使用される水切り材３ｂの順に固定する。
【００１６】
窓サッシ４は、幅約５００ｍｍ、高さ約１５００ｍｍに形成されたスリット状の固定窓であって、図３に示すように、開口部Ａの屋外側からこの開口部Ａ内に挿入され、開口部Ａの開口内周面部の枠材１３に当接してビスで固定される。
【００１７】
防水テープ５は、両面防水テープからなり、開口部Ａの開口外周面部において、下地板２と水切り材３との間にまたがるように貼設される。この際、開口部Ａの下辺に使用される水切り材３ａの開口外周面部の部分には、防水テープ５を貼設しない。また、防水テープ５は、開口部Ａの開口内周面部において、水切り材３と窓サッシ４との間にまたがるように貼設される。
【００１８】
防水紙６は、図４に示すように、開口部Ａの開口外周面部の下地板２の表面全体に貼設される。ただし、開口部Ａの下辺に使用される水切り材３ａの開口外周面部に面した部分には、防水紙６を貼設せず、水切り材３ａを表面に出したままにしておく。また、開口部Ａの開口内周面部の水切り材３と窓サッシ４との間に貼設された防水テープ５は、離型紙を剥がした状態にしておく。
【００１９】
見切り材７は、窓サッシ４の屋外上下に合致するようにアルミニウム材で形成され、表面に石調塗装されている。この見切り材７は、開口部Ａの上下に、それぞれ開口外周面部から押し当てるようにして、開口外周面部から開口内周面部にかけてまたがるように取り付けられる。
【００２０】
サイディング材８を取り付けるに当たり、まず、図５に示すように、胴縁８０を取り付ける。この胴縁８０は、隣接するサイディング材８同士の間、開口部Ａの上側の見切り材７の上、下側の見切り材７の下、開口内周面部の両側にそれぞれ設けられる。サイディング材８は、これら胴縁８０の表面に当接して釘固定して取り付けられる。開口部Ａの上下は、見切り材７の部分を凹状に現場カットしたサイディング材８を使用する。また、開口部Ａの両側は、開口部Ａの開口外周面部から開口内周面部にわたって、開口内周面部に設けられた窓サッシ４の手前の位置まで入り込むように断面略Ｌ字状となされたサイディング材８を使用する。このようにしてサイディング材８を設けた後は、隣接するサイディング材８同士の間隙をパテ処理したり、サイディング材８、窓サッシ４、見切り材７のそれぞれの間隙にシール材９を設け、サイディング材８の表面を塗装またはタイル張りを行って仕上げられる。
【００２１】
このようにして構成される窓構造は、図２に示すように、開口部Ａの形状に合わせてあらかじめ賦形した水切り材３を使用して開口部Ａ周りの防水を行っているため、防水紙６を開口部Ａに巻き込んで防水する場合と比較しても、誰が行っても安定した防水性を確保することができ、容易に作業することもできる。したがって、サイディング材８を使用した木造住宅であっても、外壁面から窓サッシ４をセットバックさせて外壁の見せ掛けの厚みを強調することができる。また、サイディング材８の表面に石調のタイルやレンガ調のタイルを貼設して仕上げたような場合には、全く木造住宅であることを感じさせることなく、高級感のある外観を創り出すことができる。
【００２２】
なお、本実施の形態において、水切り材３は、立体賦形した鋼板を使用しているが、この水切り材３としては、開口部Ａに合わせて立体的に賦形されたものであれば、特に鋼板製のものに限定されるものではなく、例えば、立体賦形した樹脂製の防水シート（図示省略）であってもよいし、前記した鋼板製の水切り材３の表面に防水シートが一体化された防水樹脂鋼板製のものであってもよい。
【００２３】
また、本実施の形態において、窓サッシ４は、スリット状の固定窓となされているが、この窓サッシ４の大きさとしては特に限定されるものではなく、掃き出し窓や引き違いの腰窓などの各種窓サッシ４であってもよい。
【００２４】
【発明の効果】
以上述べたように、本発明によると、サイディング材を使用した木造住宅であっても、外壁面から窓サッシをセットバックさせて外壁の見せ掛けの厚みを強調することができので、木造住宅であることを感じさせることなく、重厚さや深みを持たせた高級感のある住宅建物を構成することができる。
【図面の簡単な説明】
【図１】（ａ）および（ｂ）は本発明に係る窓構造の下地板の施工工程を示す工程図である。
【図２】（ａ）ないし（ｃ）は本発明に係る窓構造の水切り材の施工工程を示す工程図である。
【図３】（ａ）ないし（ｃ）は本発明に係る窓構造の窓サッシおよび防水テープの施工工程を示す工程図である。
【図４】（ａ）ないし（ｃ）は本発明に係る窓構造の防水紙および見切り材の施工工程を示す工程図である。
【図５】（ａ）ないし（ｃ）は本発明に係る窓構造のサイディング材の施工工程を示す工程図である。
【図６】本発明に係る窓構造の全体構成の概略を示す中間省略垂直断面図である。
【図７】本発明に係る窓構造の全体構成の概略を示す中間省略水平断面図である。
【符号の説明】
１  躯体
２  下地板
３  水切り材
４  窓サッシ
５  防水テープ
６  防水紙
７  見切り材
８  サイディング材
Ａ  開口部（開口枠）
【図１】
2004183387.tif 000003
【図２】
2004183387.tif 000004
【図３】
2004183387.tif 000005
【図４】
2004183387.tif 000006
【図５】
2004183387.tif 000007
【図６】
2004183387.tif 000008
【図７】
2004183387.tif 000009